(57)【要約】      （修正有）【課題】脚部の内外側を充分に鍛練でき、脚部および腰部を捩って鍛練可能である旋回可能な脚部伸び広がり健康機を提供する。【解決手段】一つのベース１０と、一つの摺動ベースフレーム２０と、二つのスライド装置３０と、を含み、ベースは、底円盤１１と、コラム１２と、ハンドル部１３と、を有し、底円盤の中央からコラムが上に延び、コラムの上にハンドル部が設けられ、摺動ベースフレームは、中央部２１を有する。中央部の両側にサイド枠２２がそれぞれ設けられ、中央部の中央に枢着穴２１１が設けられ、ベースのコラムが枢着穴に貫入しており、コラムの底円盤に近接する一端に摺動ベースフレームが枢着され、二つのスライド装置は、一つのペダル３１と、一つのローラ装置と、をそれぞれ含み、ペダルの底面に枢着スリーブが設けられ、ローラ装置に枢着座が設けられ、枢着座に枢着スリーブが枢着される。【選択図】図１
0003165335.tif 000002
【実用新案登録請求の範囲】
【請求項１】
一つのベースと、一つの摺動ベースフレームと、二つのスライド装置と、を含み、
前記ベースは、底円盤と、コラムと、ハンドル部と、を有し、前記底円盤の中央から前記コラムが上に延び、前記コラムの上に前記ハンドル部が設けられ、
前記摺動ベースフレームは、中央部を有し、前記中央部の両側にサイド枠がそれぞれ設けられ、前記中央部の中央に枢着穴が設けられ、前記ベースの前記コラムが前記枢着穴に貫入しており、前記コラムの前記底円盤に近接する一端に前記摺動ベースフレームが枢着され、前記摺動ベースフレームは、前記コラムを中心として旋回可能であり、その二つの
前記サイド枠の末端に止め具がそれぞれ設けられ、前記止め具により前記スライド装置の前記サイド枠からの離脱を止め可能であり、
前記二つのスライド装置は、一つのペダルと、一つのローラ装置と、をそれぞれ含み、
前記ペダルの底面に枢着スリーブが設けられ、前記ローラ装置に枢着座が設けられ、
前記枢着座に前記枢着スリーブが枢着され、前記各ローラ装置には、前記摺動ベースフレームの二つの前記サイド枠を摺動するローラが複数設けられることを特徴とする旋回可能な脚部伸び広がり健康機。
【請求項２】
前記摺動ベースフレームには、更に、二つの減衰ロープが配され、前記各減衰ロープの一端が前記スライド装置の中央部に近接する一側にあるフックに係られ、他端が前記中央部に設けられるフックを経由して前記サイド枠の末端に設けられるフックに係られることを特徴とする、請求項１に記載の旋回可能な脚部伸び広がり健康機。
【請求項３】
前記ローラ装置の前記枢着座と前記ペダルの前記枢着スリーブとの間に樹脂リングを配してもよいことを特徴とする、請求項１に記載の旋回可能な脚部伸び広がり健康機。
【考案の詳細な説明】
【技術分野】
【０００１】
本考案は、脚部伸び広がり健康機に関し、特に、脚部の内外側を充分に鍛練でき、脚部および腰部を捩って鍛練可能である旋回可能な脚部伸び広がり健康機に関するものである。
【背景技術】
【０００２】
従来の健康機は、人体の各部位の筋肉を鍛練可能なものが多く、例えば脚部を鍛練する方式は、ジョギング式、太もも挟み式、ステッピング式および筋肉引張式などがあるが、両脚の内外側の筋肉を鍛練できると共に、腱を伸び広がって鍛練できる健康機が少ない。
【０００３】
本願の出願者は、図６に示した脚部伸び広がり健康機を提案した。これは、ローラ装置４１にペダル４０を枢着することにより、ペダル４０がローラ装置４１に対して旋回可能であり、脚部を捩って鍛練可能である。
【０００４】
しかしながら、上記のような健康機によれば、両脚の内外側の筋肉を鍛練でき、腱を伸び広がって鍛練でき、そして脚部を捩って鍛練できるが、その他の部位を鍛練する効果が不足である問題があった。
【考案の概要】
【考案が解決しようとする課題】
【０００５】
本考案の主な目的は、脚部の内外側を充分に鍛練でき、脚部および腰部を捩って鍛練可能である旋回可能な脚部伸び広がり健康機を提供することにある。
【課題を解決するための手段】
【０００６】
本考案の旋回可能な脚部伸び広がり健康機によると、一つのベースと、一つの摺動ベースフレームと、二つのスライド装置と、を含み、
前記ベースは、底円盤と、コラムと、ハンドル部と、を有し、前記底円盤の中央から前記コラムが上に延び、前記コラムの上に前記ハンドル部が設けられ、
前記摺動ベースフレームは、中央部を有し、前記中央部の両側にサイド枠がそれぞれ設けられ、前記中央部の中央に枢着穴が設けられ、前記ベースの前記コラムが前記枢着穴に貫入しており、前記コラムの前記底円盤に近接する一端に前記摺動ベースフレームが枢着され、前記摺動ベースフレームは、前記コラムを中心として旋回可能であり、その二つの前記サイド枠の末端に止め具がそれぞれ設けられ、前記止め具により前記スライド装置の前記サイド枠からの離脱を止め可能であり、
前記二つのスライド装置は、一つのペダルと、一つのローラ装置と、をそれぞれ含み、前記ペダルの底面に枢着スリーブが設けられ、前記ローラ装置に枢着座が設けられ、前記枢着座に前記枢着スリーブが枢着され、前記各ローラ装置には、前記摺動ベースフレームの二つの前記サイド枠を摺動するローラが複数設けられることを特徴とする。
【０００７】
本考案の旋回可能な脚部伸び広がり健康機によると、前記摺動ベースフレームには、更に、二つの減衰ロープが配され、前記各減衰ロープの一端が前記スライド装置の中央部に近接する一側にあるフックに係られ、他端が前記中央部に設けられるフックを経由して前記サイド枠の末端に設けられるフックに係られることを特徴とする。
【０００８】
本考案の旋回可能な脚部伸び広がり健康機によると、前記ローラ装置の前記枢着座と前記ペダルの前記枢着スリーブとの間に樹脂リングを配してもよいことを特徴とする。
【考案の効果】
【０００９】
本考案の旋回可能な脚部伸び広がり健康機によれば、脚部の内外側を充分に鍛練でき、脚部および腰部を捩って鍛練可能であるという効果を有する。
【図面の簡単な説明】
【００１０】
【図１】本考案の一実施例の組合済み状態の斜視図である。
【図２】本考案の一実施例の一部の分解斜視図である。
【図３】本考案の一実施例の組合済み状態の断面図である。
【図４】本考案の一実施例の使用状態を示す模式図である。
【図５】本考案の一実施例に減衰ロープが掛かって載せられた状態の斜視図である。
【図６】本願の出願者から提案した健康機の斜視図である。
【考案を実施するための形態】
【００１１】
以下、本考案の実施の形態を図面に基づいて説明する。
まず、図１乃至図５を参照する。本考案の一実施例の旋回可能な脚部伸び広がり健康機は、一つのベース１０と、一つの摺動ベースフレーム２０と、二つのスライド装置３０と、を含む。
【００１２】
ベース１０は、底円盤１１と、コラム１２と、ハンドル部１３と、を有する。底円盤１１の中央からコラム１２が上に延び、コラム１２の上にハンドル部１３が設けられる。
【００１３】
摺動ベースフレーム２０は、中央部２１を有し、中央部２１の両側にサイド枠２２がそれぞれ設けられる。中央部２１の中央に枢着穴２１１が設けられ、ベース１０のコラム１２が枢着穴２１１に貫入している。コラム１２の底円盤１１に近接する一端に摺動ベースフレーム２０が枢着される。摺動ベースフレーム２０はコラム１２を中心として旋回可能である。
【００１４】
二つのスライド装置３０は、一つのペダル３１と、一つのローラ装置３２と、をそれぞれ含む。ペダル３１の底面に枢着スリーブ３１１が設けられる。ローラ装置３２に枢着座３２１が設けられ、枢着座３２１に枢着スリーブ３１１が枢着される。各ローラ装置３２には、摺動ベースフレーム２０の二つのサイド枠２２を摺動するローラ３２２が複数設けられる。
【００１５】
摺動ベースフレーム２０の二つのサイド枠２２の末端に止め具２２１がそれぞれ設けられ、止め具２２１によりスライド装置３０のサイド枠２２からの離脱を止め可能である。
【００１６】
摺動ベースフレーム２０には、更に、二つの減衰ロープ２３が配される。摺動ベースフレーム２０の中央部２１の両側にフック２１２がそれぞれ設けられる。二つのサイド枠２２の末端にフック２２２がそれぞれ設けられる。二つのスライド装置３０の中央部２１に近接する一側にフック３０１がそれぞれ設けられる。各減衰ロープ２３の一端がスライド装置３０のフック３０１に係られ、他端が中央部２１に設けられるフック２１２を経由してサイド枠２２の末端に設けられるフック２２２に係られる。減衰ロープ２３により、スライド装置３０を外側にスライドするときに抵抗が発生する。
【００１７】
また、ローラ装置３２の枢着座３２１とペダル３１の枢着スリーブ３１との間に樹脂リング３０２を配してもよい。
【００１８】
次に、本考案の一実施例の旋回可能な脚部伸び広がり健康機の使用方法を説明する。まず、スライド装置３０のペダル３１にユーザの両脚を立って、ユーザの両脚を横方向に沿って外側に移動するときには、二つのスライド装置３０が横方向に沿って二つのサイド枠２２をスライドし、なお、二つのスライド装置３０が減衰ロープ２３による引き力を受けているため、ユーザの力が減衰ロープ２３による引き力よりも小さい場合には、二つのスライド装置３０を横方向に沿って外側に移動することができず、なお、ユーザがスライド装置３０に力を加えない場合には、減衰ロープ２３による引き力により二つのスライド装置３０が本来の位置に戻る。上記の運動を繰り返すと、両脚の内外側の筋肉を鍛練でき、腱を伸び広がって鍛練することもできる。一方、ローラ装置３２の枢着座３２１にペダル３１の枢着スリーブ３１１が枢着されるため、ローラ装置３２とペダル３１とが相対に旋回できるようになる。これにより、脚部を伸び広がると同時に、脚部を捩じることもできる。そしてコラム１２の底円盤１１に近接する一端に摺動ベースフレーム２０が枢着され、摺動ベースフレーム２０はコラム１２を中心として旋回可能であるため、脚部を伸び広がると同時に、腰部を捩じることもできる。
【産業上の利用可能性】
【００１９】
本考案は、健康機に適用することができる。
【符号の説明】
【００２０】
１０：ベース
１１：底円盤
１２：コラム
１３：ハンドル部
２０：摺動ベースフレーム
２１：中央部
２２：サイド枠
２３：減衰ロープ
３０：スライド装置
３１：ペダル
３２：ローラ装置
４０：ペダル
４１：ローラ装置
２１１：枢着穴
２１２：フック
２２１：止め具
２２２：フック
３０１：フック
３０２：樹脂リング
３１１：枢着スリーブ
３２１：枢着座
３２２：ローラ
【図１】
0003165335.tif 000003
【図２】
0003165335.tif 000004
【図３】
0003165335.tif 000005
【図４】
0003165335.tif 000006
【図５】
0003165335.tif 000007
【図６】
0003165335.tif 000008